(57)【要約】【課題】  本発明は、ポケットティッシュの感覚で持ち歩くことができ、かつ、必要なときに、随時、簡単容易に取り出して利用することができる上にポケット雨傘入れを提供せんとするものである。【解決手段】  本発明のポケット雨傘入れは、合成樹脂フィルムで構成されてなり、かつ、一端が溶着されてなる筒状の簡易雨傘入れの一枚で構成されてなるポケット雨傘入れであって、該簡易雨傘入れの下端部から開口部に向かってポケットサイズに畳み込んでなる折り畳み構造を有するものであることを特徴とするものであり、さらにまた、かかる折り畳み構造を有する簡易雨傘入れが、合成樹脂フィルムで構成されてなるポケットサイズの包装袋体内に収納されていることを特徴とするものである。【選択図】  図１
2006021042.tif 000002
【特許請求の範囲】
【請求項１】
合成樹脂フィルムで構成されてなり、かつ、一端が溶着されてなる筒状の簡易雨傘入れの一枚で構成されてなるポケット雨傘入れであって、該簡易雨傘入れの下端部から開口部に向かってポケットサイズに畳み込んでなる折り畳み構造を有するものであることを特徴とするポケット雨傘入れ。
【請求項２】
該簡易雨傘入れの該折り畳み構造部分が、該簡易雨傘入れの開口部を折り返して構成された収納部に差し込まれて収納されていることを特徴とする請求項１に記載のポケット雨傘入れ。
【請求項３】
該簡易雨傘入れの表面の少なくとも一部に、印刷や模様を有することを特徴とする請求項１または２に記載のポケット雨傘入れ。
【請求項４】
該折り畳み構造を有する簡易雨傘入れが、合成樹脂フィルムで構成されてなるポケットサイズの包装袋体内に収納されていることを特徴とする請求項１〜３のいずれかに記載のポケット雨傘入れ。
【請求項５】
該折り畳み構造を有する簡易雨傘入れが、複数枚、該ポケットサイズの包装袋体内に収納されていることを特徴とする請求項４に記載のポケット雨傘入れ。
【請求項６】
該包装袋体が、外力で容易に開封可能な開封構造を有するものである請求項４または５に記載のポケット雨傘入れ。
【請求項７】
該包装袋体の表面の少なくとも一部に、印刷や模様を有することを特徴とする請求項４〜６のいずれかに記載のポケット雨傘入れ。
【請求項８】
該ポケット雨傘入れまたは該包装袋体の大きさが、幅７〜１０ｃｍ、長さ１０〜１３ｃｍからなる表面積を有する矩形状のものである請求項１〜６のいずれかに記載のポケット雨傘入れ。
【請求項９】
該合成樹脂が、ポリオレフィン系樹脂および生分解性樹脂から選ばれた少なくとも１種である請求項１〜８のいずれかに記載のポケット雨傘入れ。
【請求項１０】
該ポリオレフィン系樹脂が、高密度ポリエチレンまたはポリプロピレン系樹脂である請求項９に記載のポケット雨傘入れ。
【請求項１１】
該生分解性樹脂が、ポリ乳酸である請求項１０に記載のポケット雨傘入れ。
【発明の詳細な説明】
【技術分野】  本発明は、簡易雨傘入れをポケットティシュの感覚で持ち歩くことができ、かつ、必要なときに、随時、簡単容易に取り出して利用することができるポケット雨傘入れに関するものである。
【背景技術】  従来から、ポケットティッシュは抜群の人気のもとに普及して、今や普通にどこでも見受けられる品物であると言っても過言ではないポジションにあるものであり、各種の需要に重宝に利用されている状況にある。
ところで、合成樹脂フィルム製の簡易雨傘入れは、従来から知られており、かつ、実用・公用されている物品である。
しかし、かかる簡易雨傘入れは、利用されるデパート、マーケット、施設側が入り口などに用意・準備して、それを利用してもらうという形でしか、現在利用されていないのが実状である。
また、携帯用雨傘カバー入れバッグとして、バッグ型の入れ物状のもの（特許文献１参照）も提案されているが、これは単なる物入れバッグを示唆しているにすぎないものであった。
【特許文献１】特開平１１−４７０９号公報
【発明の開示】
【発明が解決しようとする課題】  いずれにしても、かかる簡易雨傘入れは、雨傘を収納するように、合成樹脂フィルムからなる約１ｍほどの長い袋体で構成されており、好んで持ち歩くものとは考えられにくいというより、むしろ常時持ち歩いてみたいと認識しがたい物品であり、これを利用する人々も、デパートや施設側が用意するものであると認識しているのが実状であった。
本発明は、かかる従来技術の背景に鑑み、ポケットティッシュの感覚で持ち歩くことができ、かつ、必要なときに、随時、簡単容易に取り出して利用することができるポケット雨傘入れを提供せんとするものである。
【課題を解決するための手段】  本発明は、かかる課題を解決するために、つぎのような手段を採用するものである。すなわち、本発明のポケット雨傘入れは、合成樹脂フィルムで構成されてなり、かつ、一端が溶着されてなる筒状の簡易雨傘入れの一枚で構成されてなるポケット雨傘入れであって、該簡易雨傘入れの下端部から開口部に向かってポケットサイズに畳み込んでなる折り畳み構造を有するものであることを特徴とするものであり、さらにまた、かかる折り畳み構造を有する簡易雨傘入れが、合成樹脂フィルムで構成されてなるポケットサイズの包装袋体内に収納されていることを特徴とするものである。
【発明の効果】  本発明によれば、常時携帯しても邪魔にならない上に、必要なときに簡単容易に取り出せるポケットティシュの感覚で持ち歩くことができるポケット雨傘入れを提供することができる。また、本発明のポケット雨傘入れの全体を生分解性樹脂で構成すると、廃棄後に腐敗して土に還える、自然・環境に優しいポケット雨傘入れを提供することができる。
【発明を実施するための最良の形態】  本発明は、かかる課題、つまりポケットティシュの感覚で持ち歩くことができ、かつ、必要なときに随時、簡単容易に取り出して利用することができるポケット雨傘入れについて、鋭意検討し、合成樹脂フィルムで構成してなる簡易雨傘入れを折り畳んで特定な、つまりポケットサイズの折り畳み構造にして、これをポケット雨傘入れとして、前記課題を一挙に解決することを究明したものである。
また、かかる折り畳み構造を有する簡易雨傘入れを、さらに、従来のポケットティシュの包装袋体内に収納してみたところ、上記同様に、前記課題を完全に解決することを究明したものである。
本発明者は、雨傘を使用した後に、人が込み合う場所や乗り物、たとえば電車やバスなどの乗り合い車両を利用したり、デパート、マーケット、コンサート会場などや、人々が集合する公共施設を利用したりする場合に、濡れた雨傘やその滴によって、周囲の人々に迷惑をかけることが多々あるが、本発明は、かかる迷惑をかけないためのポケット雨傘入れを提供するために創意した結果、従来のポケットティッシュと同様に常時持ち歩くことができる形態に到達したものである。
もともと、かかる簡易雨傘入れは、余りにも長い合成樹脂フィルムの袋体であり、意識して持ち歩きたいとは考えられない代物であった。そこで、現在普及しているポケットティッシュと同様の形態にすることで、今までの認識を一新して、誰もが常時持ち歩ける、否、携帯しておきたいと意識改革を惹起せしめるような形状の物品とすると同時に、雨降りの時でも、周囲の人々に迷惑をかけることがないようにしたいと思わせるものを提供したいという思いから本発明に到達したものである。
本発明のポケット雨傘入れは、合成樹脂フィルムで構成された簡易雨傘入れ、つまり、一端が溶着されてなる筒状の簡易雨傘入れの一枚で構成されており、この簡易雨傘入れの下端部から開口部に向かってポケットサイズに畳み込んでなる折り畳み構造を有するものである。また、本発明のポケット雨傘入れは、かかる一枚ものでもよいが、かかるポケットサイズに畳み込まれた簡易雨傘入れの少なくとも１枚を、合成樹脂フィルムで構成されてなるポケットサイズの包装袋体内に収納されているものも含むものである。
まず、本発明のポケット雨傘入れは、その折り畳み構造部分が、ポケットサイズに折り畳まれているところに特徴がある。かかる折り畳み方法としては、一方向に巻き込む折り畳み手段と、折り畳み１回毎に、反対方向に折り畳む折り畳み手段とを採用することができる。いずれの手段で折り畳まれたものであっても、雨傘を簡単に収納することができる利点がある。
本発明においては、かかる折り畳み構造部分を該簡易雨傘入れの大部分で構成されるものあるが、該簡易雨傘入れの開口部を含む残りの部分のみを、それまで折り畳んできた方向とは反対の方向に折り返して、この折り返し部分で収納部を構成し、該簡易雨傘入れの全体を包み込んでしまうことにより、該簡易雨傘入れ１枚からなる、本発明のポケット雨傘入れを構成することもできるものである。
かかる本発明のポケット雨傘入れ、つまり一枚の簡易雨傘入れで構成されるポケット雨傘入れについて、図面により説明する。
図１Ａは、本発明の簡易雨傘入れの一例を示す概略断面図であり、一枚の簡易雨傘入れ１の下端部から開口部に向かってポケットサイズに折り畳まれてなる折り畳み構造部分２を有するものが示されている。図１Ｂは、他の一例で、一枚の簡易雨傘入れ１の下端部から開口部に向かってポケットサイズに折り畳まれてなる折り畳み構造部分２を、該簡易雨傘入れの開口部３を含む残りの部分を折り返して収納する、つまり、それまでの折り畳み方向とは反対の方向に折り返して、その折り返し部分で構成された収納部４によって、該折り畳み構造部分２を収納されているものが示されている。
図２は、図１の簡易雨傘入れ１の折り畳み構造部分２の折り畳み構造の例を示す解説図である。図２Ａは、基本的な折り畳み構造であり、互いに反対方向に、つまり蛇腹構造に折り畳む構造を有する例であり、図２Ｂは、簡易雨傘入れ１を折り畳む際に、予め両端部を内側に折り返してから、Ａと同様に折り畳んで折り畳み構造部分２を形成する例である。なお、かかる折り畳み構造に限定されることはなく、たとえば簡易雨傘入れ１を巻き込む形に折り畳んでなる折り畳み構造でもよい。図２Ｃは、図１Ｂの一枚の簡易雨傘入れ１を折り返して収納部４を形成し、この収納部４によって、該折り畳み構造部分２を収納する手段を説明したものである。
また、図３は、簡易雨傘入れ１の全体に印刷や模様を有する簡易雨傘入れ１の例を示した状態図である。かかる印刷や模様は、収納部にも施すことができる。
本発明の簡易雨傘入れ１は、後述する図４のような包装袋体に収納する場合には、図１のような収納部４に収納されている構造に折り返した一枚の簡易雨傘入れ１で形成されたものに限らず、単にポケットサイズに折り畳まれただけの簡易雨傘入れ１を複数枚収納したものであってもよい。
本発明のポケット雨傘入れは、上述のようにして形成されたポケット雨傘入れをそのまま使用してもよいが、かかるポケット雨傘入れの一枚以上を収納するための合成樹脂フィルムで構成されてなるポケットサイズの包装袋体５を使用して、これに収納した形態であってもよい。
本発明で使用する簡易雨傘入れ１そのものは、合成樹脂フィルムで構成された簡易雨傘入れとして、好ましくはポリオレフィン系樹脂および生分解性樹脂から選ばれた少なくとも１種で構成されたフィルムを使用することができるが、もちろん、従来から使用されている主としてポリオレフィン系樹脂フィルム製の細長い袋体で構成されたもの、すなわち、一方の端部が密封された長方形状の袋体をそのまま使用することができる。
かかるポリオレフィン系樹脂製フィルムとしては、ポリエチレンやポリプロピレンなどで構成されたものが好ましく使用されているが、これらの中でも好ましくは密度０．９４１〜０．９６５、より好ましくは０．９４７〜０．９６０の高密度ポリエチレンが、特にフィルム強度やフィルム硬さがほどよくて、さらにプリーツ加工性に優れていることから最も好適に使用される。かかるポリオレフィン系樹脂製フィルムは、もともとパラフィンと同一種類の樹脂であるから、速乾性に優れ、かつ、不透水性なので好ましい。
かかる簡易雨傘入れを構成する合成樹脂フィルムの厚さは、好ましくは０．０１〜０．０４ｍｍ、より好ましくは０．０２〜０．０３ｍｍのものが使用される。また、かかる簡易雨傘入れのサイズとしては、好ましくは幅が７〜１５ｃｍで、長さが５０〜１００ｃｍのものが使用される。なお、かかる簡易雨傘入れの形状は、前記のように長方形状のものが一般的であるが、さらに好ましくはヤジリ形状にしたもの、つまり傘の石突き部を収納する先端部が尖った形状に溶融接着されて密封されており、他端がヤジリ形状に凹んだ開口部である、つまり傘を挿入する側である形状にすると、この部分が傘収納後の柄の部分で結び付けることができるので、傘と簡易雨傘入れとを容易に一体化させることができる利点があり、安定した状態で持ち歩きできるものである。
本発明の簡易雨傘入れは、ポケットサイズに折り畳まれたものであるが、かかるポケットサイズとは、幅が７〜１０ｃｍで、長さ１０〜１３ｃｍからなる表面積を有する矩形状のものであるのが好ましく、より好ましくは幅７〜８ｃｍ、長さ１０〜１２ｃｍの大きさのものが取り扱い性の上から使用されるものである。
また、かかる簡易雨傘入れには、印刷や模様を付与することができ、たとえばキャラクターや宣伝のための印刷や模様を付与することもできる。
本発明において、かかる簡易雨傘入れを収納するための、ポケットサイズの包装袋体としては、ポケットティッシュに使用されている包装袋体をそのまま使用することができるが、かかる包装袋体としては、簡易雨傘入れと同様に、ポリオレフィン系樹脂および生分解性樹脂から選ばれた少なくとも１種の合成樹脂からなるフィルムを使用することができる。もちろん、かかる合成樹脂としては、従来から包装材として使用されている、たとえばポリエチレン系樹脂やポリプロピレン系樹脂などを好ましく使用することができるが、これらの中でもポリプロピレン系樹脂からなるフィルムが、特にフィルム強度や引き裂き性にすぐれており、さらに印刷加工性に優れていることから最も好ましく使用される。特に引き裂き性の上からポリプロピレン一軸延伸フィルムが好ましく使用される。かかる包装袋体を構成する合成樹脂フィルムの厚さは、好ましくは０．０１〜０．０３ｍｍのものが前記特性の上から使用される。
かかる包装袋体も、前記簡易雨傘入れと同様に、防水性に優れているフィルムで構成されているのが好ましく、速乾性に優れ、使用後軽く振るだけで乾燥状態に戻るという特徴を有し、雨に濡れても、直ちにポケットやカバン内を入れることができる利点を有する。
本発明のポケット雨傘入れは、ポケットサイズであることが必須である。これは、本発明の課題である持ち歩き易く、常時持参しておきたいという感覚、認識を持ってもらう上から、他の邪魔にならない大きさが大前提であることから規定されたものである。
かかるポケットサイズである該包装袋体の大きさとしては、幅７〜１０ｃｍ、長さ１０〜１５ｃｍからなる表面積を有する矩形状のものであるのが好ましく、より好ましくは幅７〜８ｃｍ、長さ１０〜１２．０ｃｍの大きさのものが取り扱い性の上から使用される。
また、かかる雨傘入れの包装袋体において、利用し易さの大きな機能の一つは、外力で容易に開封可能な開封構造を有することである。この点は、ポケットティッシュと変わりはなく、同様の構造や形態を採用することができる。たとえば合成樹脂フィルムに、切れ目を入れたり、ポリオレフィン系樹脂フィルム、特にポリプロピレン一軸延伸フィルムを使用するなどの手段を採用することができる。
以上、本発明について、合成樹脂として、主としてポリオレフィン系樹脂フィルムを例に説明してきたが、もちろん、通常のポリエステル系樹脂、ポリアミド系樹脂などのフィルム形成性樹脂で、好ましくは防水性、撥水性を有する樹脂であれば、これらに限定されることなく使用することができる。
また、本発明では、かかる合成樹脂として、生分解性樹脂が自然保護や環境保護の上から好ましく使用されるが、かかる生分解性樹脂としては、生分解性で、かつ、熱可塑性を示す樹脂であれば、別に限定されないが、カプロラクトン、プロピオラクトン、ブチロラクトン、バレロラクトン、エナントラクトン等やこれらのメチル化ラクトンからなるラクトン系樹脂や、ポリ乳酸、ポリエチレンサクシネート、ポリブチレンサクシネート、ポリブチレンサクシネート・アジペート、ポリブチレンサクシネート・カーボネート等の脂肪族ポリエステル等を使用することができるが、ポリ乳酸が入手のし易さの上から好ましく使用される。これらの生分解性樹脂は、単独もしくは２種類以上併用してもよい。
なお、かかる生分解性樹脂は、ポリオレフィン系樹脂に混合することにより、該ポリオレフィン系樹脂を生分解性に変身させることができる。その場合には、生分解性樹脂の配合割合を好ましくは５０重量％以上、より好ましくは６０重量％以上とするのがよい。かかる生分解性樹脂量が増えれば、分解速度が速くなり、また、分解後の崩形性が向上するのである。
かかる生分解性樹脂で、本発明のポケット雨傘入れの構成部材の全てを形成すると、自然保護や環境保護の上から非常に優れたポケット雨傘入れを提供することができる。
次に、本発明のポケット雨傘入れの他の一例である、前記簡易雨傘入れと包装袋体とからなるポケット雨傘入れについて、図面により説明する。
図４は、複数枚の簡易雨傘入れを包装袋体に収納した構造を有する形態を示すポケット雨傘入れの全体の一例を示す概略斜視図であり、複数枚の折り畳まれた簡易雨傘入れ１を収納したポケットサイズの包装袋体５であり、この例は、該簡易雨傘入れ１を収納後に、該包装袋体５の両端部の溶融接着部７，７′で密封されており、かつ、該包装袋体５の片面の略中央部に破線状の開口用切り込み線６が設けられているものである。この開口用切り込み線６は、外力で容易に開封可能な開封構造であればよく、設定位置は、該包装袋体５の片面であれば、中央部に限定されることはない。この切り込み線６によってポケットティッシュと同様にこの部分で簡単に該包装袋体５を開口することができる。かかる包装袋体５には、前記簡易雨傘入れ１と同様に印刷や模様を施したものであってもよい。
図５は、図４のポケット雨傘入れを切り取って、その収納状態を示した分解図であって、複数枚の簡易雨傘入れ１が折り畳まれて、ポケットサイズの包装袋体５内に収納されていることがわかる。
かかるポケット雨傘入れにおいて、該簡易雨傘入れ１の表面の少なくとも一部、さらには、包装袋体５の表面の少なくとも一部に、それぞれ、たとえばキャラクターや宣伝のための印刷や模様を施すことにより、ファッション性やコマーシャル性を付与することができる。すなわち、本発明のポケット雨傘入れや簡易雨傘入れは、濡れた傘を収納して持ち歩くこととなるので、かかる宣伝印刷を施しておくと、優れた宣伝効果を奏するものである。
なお、図４の場合で、該簡易雨傘入れ１を複数枚収納している場合には、その一枚一枚に仕切り紙・テープや粘着テープを挟んだり、貼り付けて取り出しするなどの工夫を付加してもよい。
【実施例】  次に、実施例及び比較例を挙げて、本発明を更に詳細に説明する。
実施例１
図１Ｂのポケット雨傘入れを作った。すなわち、幅１０．７ｃｍで厚さ０．０３ｍｍの密度０．９５５の高密度ポリエチレンフィルム製筒状シートを溶融接着して溶断（カット）してなる長さ７６ｃｍの袋状の簡易雨傘入れを、７．５ｃｍピッチで折り畳んで簡易雨傘入れを用意した。
すなわち、簡易雨傘入れ１枚を、図２Ｂのように、両端部を少し折り返しておいてから、交互に蛇腹状に折り畳んで、残り約８．５ｃｍ手前で、図２Ｃのように反対側にめくり返すように折り返して、収納部を形成して、この収納部内に該蛇腹状に折り畳んだ簡易雨傘入れ部分を収納して、ポケット雨傘入れを作った。
この簡易雨傘入れは、予め開口部付近の、つまり開口部から幅約１１ｃｍまでのスペースに宣伝用の印刷を、該簡易雨傘入れにしていたものを使用した。そのために該収納部は、該印刷広告が施されたもので、商品として見栄えのあるものであった。
このポケット雨傘入れは、ポケットティッシュと同様の手軽さと携帯性を有するもので、傘を簡単に収納することができた。
実施例２
実施例１において、簡易雨傘入れを、高密度ポリエチレンフィルムに替えて、市販の幅１０．７ｃｍで厚さ０．０１ｍｍのポリ乳酸製フィルムを用いるほかは全て実施例１と同様にして作った。該ポリ乳酸として、弾性率３１４ｋｐｓｉ、破断強度８．３ｋｐｓｉ、伸度３．３％、融点１７３℃のポリＬ−乳酸を使用した。
この簡易雨傘入れ１枚を、その長手方向の両端部を少し折り返しておいて、それを矩形状に該蛇腹状に折り畳んで、残り約８．５ｃｍ手前で、開口部を反対側に折り返して、この開口部で収納部を形成して、この収納部に折り畳んだ簡易雨傘入れを収納して、ポケット雨傘入れを作った。
この簡易雨傘入れは、予め開口部付近の、つまり開口部から幅約８．５ｃｍのスペースに宣伝用の印刷を、該簡易雨傘入れの内側にしていたものを使用した。そのために該収納部は、該印刷広告が表面に出て商品として見栄えのあるものであった。
このポケット雨傘入れは、ポケットティッシュと同様の手軽さと携帯性を有するもので、傘を簡単に収納することができた。
実施例３
図４、５のポケット雨傘入れを作った。すなわち、包装袋体として幅８．５ｃｍの厚さ０．０１５ｍｍの一軸延伸ポリプロピレンフィルム製筒状シートからなる包装袋体を用意した。
別に、幅１０．５ｃｍで厚さ０．０３ｍｍの密度０．９５５の高密度ポリエチレンフィルム製筒状シートを溶融接着して溶断してなる長さ８０ｃｍの簡易雨傘入れを、７．５ｃｍピッチで折り畳んで簡易雨傘入れピースを用意した。このピースを１個ずつ折り畳んだものを３個用意した。
この３個のピースを重ねて押圧した状態で、前記ポリプロピレンフィルム製筒状シートからなる包装袋体内に充填し、その両端部を溶融接着して切断し、その包装袋体の片面の中央部に破線状の開口用切り込み線を長さ方向に１本付与して、長さ１１．０ｃｍのポケット雨傘入れを作った。
このポケット雨傘入れは、ポケットティッシュと同様の手軽さと携帯性を有するもので、手で簡単に開封することができるものであった。
実施例４
実施例３において、簡易雨傘入れを、高密度ポリエチレンフィルムに替えて、市販の幅１０７ｍｍで厚さ０．０１ｍｍのポリ乳酸製フィルムを用いる外は全て実施例３と同様にして作った。
該ポリ乳酸として、弾性率３１４ｋｐｓｉ、破断強度８．３ｋｐｓｉ、伸度３．３％、融点１７３℃のポリＬ−乳酸を使用した。
この簡易雨傘入れは、実施例３と同様に、傘の出し入れが極めて簡単容易で、かつ、確実にできるし、このポケット雨傘入れは持ち歩き易いものであった。さらにこの簡易雨傘入れは、さらに使用後土中に埋めておいたところ、１ケ月後にはほとんど分解されて消失していた。
【図面の簡単な説明】
【図１】本発明の簡易雨傘入れ一枚を折り畳み込んでなるポケット雨傘入れの一例を示す概略断面図である。Ａは、単にポケットサイズに折り畳まれてなる例で、Ｂは、折り返し部分で構成された収納部４によって、折り畳み構造部分を収納されてなる他の例を示す。
【図２】本発明のポケット雨傘入れの簡易雨傘入れの折り畳み部分の折り畳み構造を示す解説図である。Ａは、単にポケットサイズに蛇腹に折り畳まれてなる構造例で、Ｂは、予め両端部を内側に折り返してから、折り畳む他の構造例を示す。Ｃは、図１Ｂの一枚の簡易雨傘入れ１を折り返して収納部４を形成し、この収納部４によって、該折り畳み構造部分２を収納する手段を説明したものである。
【図３】本発明の簡易雨傘入れ全体に印刷や模様を施した一例を示す状態図である。
【図４】本発明の簡易雨傘入れと包装袋体とからなるポケット雨傘入れ全体の一例を示す概略図である。
【図５】図４における簡易雨傘入れの収納状態の一例を示す分解図である。
【符号の説明】
１：簡易雨傘入れ
２：折り畳み部分
３：開口部
４：収納部
５：ポケットサイズの包装袋体
６：包装袋体の開口用切り込み線
７，７′：溶融接着部
【図１】
2006021042.tif 000003
【図２】
2006021042.tif 000004
【図３】
2006021042.tif 000005
【図４】
2006021042.tif 000006
【図５】
2006021042.tif 000007